(57)【要約】      （修正有）【課題】逆止弁を常にスムーズに開くことができるウォッシャ装置を提供する。【解決手段】ウォッシャ液を貯蔵するタンクと、タンク内のウォッシャ液を外部へ供給するポンプと、ポンプから供給されたウォッシャ液を噴射させる２つのウォッシャノズル２０，２０′を備え、一方のウォッシャノズル２０のノズルハウジング２１に、流入路Ｇと該流入路から弁室Ｒを介してウォッシャ液をノズルハウジングの液体噴射口２１ａ及び他方のウォッシャノズル２０′に供給する液体供給流路２５及び流出路Ｓを形成し、流入路と液体供給流路及び流出路を弁室内に収納された逆止弁３０で開閉自在にし、この逆止弁の弁体３２の円筒状の伸縮部３２ａの下端３２ｄを弁ケース２３の下端２３ｄと蓋体２４′との間に係止させたウォッシャ装置において、蓋体２４′に、弁体３２の円筒状の伸縮部３２ａを案内する円筒状のガイド部２４ｅを突設した。【選択図】図１
2010000909.tif 000002
【特許請求の範囲】
【請求項１】
ウォッシャ液を貯蔵するタンクと、このタンク内のウォッシャ液を外部へ供給するポンプと、このポンプから供給された前記ウォッシャ液を洗浄面に噴射させる液体噴射口を形成した２つのウォッシャノズルとを備え、
前記一方のウォッシャノズルのノズルハウジングに、前記ウォッシャ液を導入する流入路と該流入路から弁室を介して前記ウォッシャ液を２つに分配して前記液体噴射口に前記ウォッシャ液を供給する液体供給流路及び流出路をそれぞれ形成し、これら流入路と液体供給流路及び流出路を前記弁室内に収納された逆止弁で開閉自在にし、
かつ、前記一方のウォッシャノズルの前記弁室を、弁座部を有した略円筒状の弁ケースと該弁ケースの下面開口部を覆う蓋体とで密閉形成し、この略円筒状の弁ケースの弁座部に前記流入路と液体供給流路を連通させる連通口を形成すると共に、前記流入路と前記流出路を連通させる連通口を形成し、これら流入路と液体供給流路の連通口と前記流入路と流出路の連通口を前記逆止弁の弁体で閉塞・開放自在にし、この弁体の円筒状の伸縮部の下端を前記弁ケースの下端と前記蓋体との間に係止させたウォッシャ装置において、
前記蓋体に、前記弁体の円筒状の伸縮部を案内する円筒状のガイド部を突設したことを特徴とするウォッシャ装置。
【請求項２】
請求項１記載のウォッシャ装置であって、
前記弁体の円筒状の伸縮部を、上端部に形成された蛇腹部と該蛇腹部から下端部にかけて形成された円筒状の胴体部とで一体形成し、前記蓋体の円筒状のガイド部を前記円筒状の伸縮部の蛇腹部まで突設したことを特徴とするウォッシャ装置。
【発明の詳細な説明】
【技術分野】
【０００１】
本発明は、例えば、自動車用のウォッシャ液（洗浄液）をフロントウインドシールドガラス等の洗浄面に噴射させるウォッシャ装置に関する。
【背景技術】
【０００２】
この種のウォッシャ装置として、図３〜図５に示すものがある（例えば、特許文献１参照。）。
【０００３】
このウォッシャ装置１０は、図３に示すように、ウォッシャ液（洗浄液）Ｗを貯蔵するタンク１１と、このタンク１１内のウォッシャ液Ｗをホース１２を介してノズル側（外部）へ供給するポンプ１３と、このポンプ１３から供給されたウォッシャ液Ｗを図示しないフロントウインドシールドガラス等の洗浄面に噴射させる２つのウォッシャノズル２０，２０′とを備えている。このポンプ１３側に位置する一方のウォッシャノズル２０は、ポンプ１３から供給されたウォッシャ液Ｗを該一方のウォッシャノズル２０のノズルハウジング２１の液体噴射口２１ａと他方のウォッシャノズル２０′の２つに分配するウォッシャ液分配機能を有している。そして、このウォッシャ液分配機能を有した一方のウォッシャノズル２０に、ホース１４，１５を介してポンプ１３と他方のウォッシャノズル２０′とが直列に接続されている。
【０００４】
図３〜図５に示すように、一方のウォッシャノズル２０は、ポンプ１３から供給されるウォッシャ液Ｗを導入する流入路Ｇになる略円筒状の流入管２２と、この流入管２２から弁室Ｒになる略円筒状の弁ケース２３及び蓋体２４を介してウォッシャ液Ｗを２つに分配して液体噴射口２１ａに供給する液体供給流路２５及び他方のウォッシャノズル（外部）２０′にそれぞれ供給する流出路Ｓになる略円筒状の流出管２６をそれぞれ形成した合成樹脂製のノズルハウジング２１と、弁室Ｒ内に収納され、流入路Ｇと液体供給流路２５及び流出路Ｓを開閉する逆止弁３０と、この逆止弁３０を流入路Ｇと液体供給流路２５及び流出路Ｓを閉塞する方向に付勢する圧縮コイルスプリング（弾性体）３３とを備えている。
【０００５】
図４及び図５に示すように、弁室Ｒは、弁座部２３ａを有した略円筒状の弁ケース２３と、この弁ケース２３の下面開口部２３ｂを覆う合成樹脂製で略円形皿状の蓋体２４とで密閉された空間になるように形成されている。また、弁ケース２３の弁座部２３ａの上側には、流入路Ｇを形成する流入管２２と流出路Ｓを形成する流出管２６とを円筒状の仕切壁２７を介して一直線状に延びるように一体突出形成してある。
【０００６】
さらに、弁ケース２３の弁座部２３ａには、流入管２２の流入路Ｇと液体供給流路２５を連通させる円形状の連通口２５ａと、流入管２２の流入路Ｇと流出管２６の流出路Ｓを連通させるＣ字状の連通口２６ａをそれぞれ形成してある。これら流入管２２の流入路Ｇと液体供給流路２５との円形状の連通口２５ａと、流入管２２の流入路Ｇと流出管２６の流出路ＳとのＣ字状の連通口２６ａとは、後述する逆止弁３０の弁体３２で閉塞・開放されるようになっている。尚、蓋体２４は弁ケース２３の下面開口部２３ｂに一体形成されたフック部２３ｃに係合凹部２４ｃを係止させることにより固定されている。
【０００７】
また、図３〜図５に示すように、各ウォッシャノズル２０，２０′の流入管２２，２２′の導入口２２ｂ，２２ｂ′の端部には、ホース係止用の係止段部２２ｃ，２２ｃ′を形成してある。さらに、一方のウォッシャノズル２０の流出管２６の吐出口２６ｂの端部には、ホース係止用の係止段部２６ｃを形成してある。そして、ポンプ１３と一方のウォッシャノズル２０の流入管２２はホース１４で接続され、また、一方のウォッシャノズル２０の流出管２６と他方のウォッシャノズル２０′の流入管２２′はホース１５で接続されている。
【０００８】
図４及び図５に示すように、逆止弁３０は、合成樹脂製で厚肉円筒状の本体３１と、この本体３１の上側大径部３１ａに嵌め込まれて弁ケース２３の下端と蓋体２４との間に係止された円筒状の伸縮部３２ａを有したゴム製の弁体３２とで構成されている。そして、本体３１の下面に円環溝状に形成された凹部３１ｂと蓋体２４の上面に円環溝状に形成された凹部２４ｂとの間に圧縮コイルスプリング３３を介在してある。
【０００９】
さらに、図３に示すように、他方のウォッシャノズル２０′は、一方のウォッシャノズル２０の流出管２６からホース１５を介して供給されるウォッシャ液Ｗを導入する流入路Ｇになる略円筒状の流入管２２′と、この流入管２２′の端部から略直角に折れ曲がって液体噴射口２１ａ′へ連通する液体供給流路２５′とをそれぞれ形成した合成樹脂製のノズルハウジング２１′とを備えている。
【００１０】
以上構成のウォッシャ装置１０によれば、一方のウォッシャノズル２０は、ポンプ１３から供給されるウォッシャ液Ｗを該一方のウォッシャノズル２０のノズルハウジングの液体噴射口２１ａと他方のウォッシャノズル２０′に分配するものであり、その使用時には、ポンプ１３から一方のウォッシャノズル２０の流入管２２に導入されるウォッシャ液Ｗの圧力により圧縮コイルスプリング３３の付勢力に抗して逆止弁３０が流入管２２と液体供給流路２５との円形状の連通口２５ａ、及び、流入管２２と流出管２６とのＣ字状の連通口２６ａを開く方向に移動する。これにより、図５に矢印で示すように、ウォッシャ液Ｗは、各連通口２５ａ，２６ａを経て液体供給流路２５と流出管２６に分岐してそれぞれ流れ、各ウォッシャノズル２０，２０′の各液体噴射口２１ａ，２１ａ′からそれぞれ噴射される。
【００１１】
また、非使用時（逆止弁３０の作動停止時）には、図４に示すように、一方のウォッシャノズル２０の圧縮コイルスプリング３３の付勢力により逆止弁３０の弁体３２で流入管２２と液体供給流路２５との円形状の連通口２５ａ、及び、流入管２２と流出管２６とのＣ字状の連通口２６ａが確実に閉塞される。
【００１２】
【特許文献１】特開２００８−８０８２７号公報
【発明の開示】
【発明が解決しようとする課題】
【００１３】
しかしながら、前記従来のウォッシャ装置１０では、図５に示すように、逆止弁３０のゴム製の弁体３２が下がって弁ケース２３の弁座部２３ａから離れて開状態になる際に、弁体３２の円筒状の伸縮部３２ａに圧力（負荷）が掛かって内側に撓み易いため、逆止弁３０の開きが悪くなる場合があった。
【００１４】
そこで、本発明は、前記した課題を解決すべくなされたものであり、逆止弁を常にスムーズに開閉することができるウォッシャ装置を提供することを目的とする。
【課題を解決するための手段】
【００１５】
請求項１の発明は、ウォッシャ液を貯蔵するタンクと、このタンク内のウォッシャ液を外部へ供給するポンプと、このポンプから供給された前記ウォッシャ液を洗浄面に噴射させる液体噴射口を形成した２つのウォッシャノズルとを備え、前記一方のウォッシャノズルのノズルハウジングに、前記ウォッシャ液を導入する流入路と該流入路から弁室を介して前記ウォッシャ液を２つに分配して前記液体噴射口に前記ウォッシャ液を供給する液体供給流路及び流出路をそれぞれ形成し、これら流入路と液体供給流路及び流出路を前記弁室内に収納された逆止弁で開閉自在にし、かつ、前記一方のウォッシャノズルの前記弁室を、弁座部を有した略円筒状の弁ケースと該弁ケースの下面開口部を覆う蓋体とで密閉形成し、この略円筒状の弁ケースの弁座部に前記流入路と液体供給流路を連通させる連通口を形成すると共に、前記流入路と前記流出路を連通させる連通口を形成し、これら流入路と液体供給流路の連通口と前記流入路と流出路の連通口を前記逆止弁の弁体で閉塞・開放自在にし、この弁体の円筒状の伸縮部の下端を前記弁ケースの下端と前記蓋体との間に係止させたウォッシャ装置において、前記蓋体に、前記弁体の円筒状の伸縮部を案内する円筒状のガイド部を突設したことを特徴とする。
【００１６】
請求項２の発明は、請求項１記載のウォッシャ装置であって、前記弁体の円筒状の伸縮部を、上端部に形成された蛇腹部と該蛇腹部から下端部にかけて形成された円筒状の胴体部とで一体形成し、前記蓋体の円筒状のガイド部を前記円筒状の伸縮部の蛇腹部まで突設したことを特徴とする。
【発明の効果】
【００１７】
以上説明したように、請求項１の発明によれば、弁座部を有した略円筒状の弁ケースの下面開口部を覆って密閉形成する蓋体に、逆止弁の弁体の円筒状の伸縮部を案内する円筒状のガイド部を突設したことにより、逆止弁の弁体が弁ケースの弁座部から離れて開状態になる際に、弁体の円筒状の伸縮部が蓋体の円筒状のガイド部により案内されるため、弁体の円筒状の伸縮部に負荷が掛かって内側に撓むことがなく、弁体をスムーズに開動作させることができる。これにより、流入路と液体供給流路及び流出路を弁室内に収納された逆止弁で開閉する際に、逆止弁をスムーズに開閉することができる。
【００１８】
請求項２の発明によれば、弁体の円筒状の伸縮部を、上端部に形成された蛇腹部と該蛇腹部から下端部にかけて形成された円筒状の胴体部とで一体形成し、蓋体の円筒状のガイド部を円筒状の伸縮部の蛇腹部まで突設したことにより、弁体が弁ケースの弁座部から離れる方向に移動して開状態になる際に、弁体の伸縮部の円筒状の胴体部が蓋体の円筒状のガイド部により案内されるため、弁体の伸縮部の円筒状の胴体部に負荷が掛かって該伸縮部が内側に撓むことがなく、弁体を常にスムーズに開動作させることができる。
【発明を実施するための最良の形態】
【００１９】
以下、本発明の一実施形態を図面に基づいて説明する。
【００２０】
図１は本発明の一実施形態のウォッシャ装置に用いられるウォッシャ液分配機能を有したウォッシャノズルの逆止弁の閉状態を示す断面図、図２は同ウォッシャノズルの逆止弁の開状態を示す断面図であり、図３に示すウォッシャ装置は援用する。
【００２１】
図１及び図２に示すように、ウォッシャ装置１０に用いられる一方のウォッシャノズル２０は、ポンプ１３から供給されるウォッシャ液Ｗを導入する流入路Ｇになる略円筒状の流入管２２と、この流入管２２から弁室Ｒになる略円筒状の弁ケース２３及び蓋体２４′を介してウォッシャ液Ｗを２つに分配して液体噴射口２１ａに供給する液体供給流路２５及び他方のウォッシャノズル（外部）２０′にそれぞれ供給する流出路Ｓになる略円筒状の流出管２６をそれぞれ形成した合成樹脂製のノズルハウジング２１と、弁室Ｒ内に収納され、流入路Ｇと液体供給流路２５及び流出路Ｓを開閉する逆止弁３０と、この逆止弁３０を流入路Ｇと液体供給流路２５及び流出路Ｓを閉塞する方向に付勢する圧縮コイルスプリング（弾性体）３３とを備えている。
【００２２】
弁室Ｒは、弁座部２３ａを有した略円筒状の弁ケース２３と、この弁ケース２３の下面開口部２３ｂを覆う合成樹脂製で略円形皿状の蓋体２４′とで密閉された空間になるように形成されている。また、弁ケース２３の弁座部２３ａの上側には、流入路Ｇを形成する流入管２２と流出路Ｓを形成する流出管２６とを円筒状の仕切壁２７を介して一直線状に延びるように一体突出形成してある。さらに、弁ケース２３の弁座部２３ａには、流入管２２の流入路Ｇと液体供給流路２５を連通させる円形状の連通口２５ａと、流入管２２の流入路Ｇと流出管２６の流出路Ｓを連通させるＣ字状の連通口２６ａをそれぞれ形成してある。これら流入管２２の流入路Ｇと液体供給流路２５との円形状の連通口２５ａと、流入管２２の流入路Ｇと流出管２６の流出路ＳとのＣ字状の連通口２６ａとは、後述する逆止弁３０の弁体３２で閉塞・開放されるようになっている。また、蓋体２４′は、弁ケース２３の下面開口部２３ｂに一体形成されたフック部２３ｃに係合凹部２４ｃを係止させることにより固定されている。
【００２３】
図１及び図２に示すように、逆止弁３０は、合成樹脂製で厚肉円筒状の本体３１と、この本体３１の上側大径部３１ａに嵌め込まれて弁ケース２３の下端２３ｄと蓋体２４′との間に係止された円筒状の蛇腹部（伸縮部）３２ａを有したゴム製の弁体３２とで構成されている。そして、本体３１の上側大径部３１ａの下面に一体突出形成された円筒部３１ｂと蓋体２４′の上面２４ａに円環溝状に形成された凹部２４ｂとの間に圧縮コイルスプリング３３を介在してある。
【００２４】
ゴム製の弁体３２の円筒状の伸縮部３２ａは、上端部に形成された蛇腹部３２ｂと該蛇腹部３２ｂから下端部にかけて一体形成された円筒状の胴体部３２ｃとを備えている。この弁体３２の円筒状の胴体部３２ｃの下端３２ｄは、弁ケース２３の下端２３ｄと蓋体２４′の底部２４ｄとの間に係止されている。そして、蓋体２４′の上面２４ａの外周側には、弁体３２の円筒状の伸縮部３２ａの蛇腹部３２ｂまで延びるように円筒状のガイド部２４ｅを一体突出形成してある。尚、他の構成は、前記従来例のものと同様であるため、同一構成部分に同一符号を付して詳細な説明は省略する。
【００２５】
以上実施形態のウォッシャ装置１０によれば、一方のウォッシャノズル２０は、ポンプ１３から供給されるウォッシャ液Ｗを該一方のウォッシャノズル２０のノズルハウジングの液体噴射口２１ａと他方のウォッシャノズル２０′に分配するものであり、その使用時には、ポンプ１３から一方のウォッシャノズル２０の流入管２２に導入されるウォッシャ液Ｗの圧力により圧縮コイルスプリング３３の付勢力に抗して逆止弁３０が流入管２２と液体供給流路２５との円形状の連通口２５ａ、及び、流入管２２と流出管２６とのＣ字状の連通口２６ａを開く方向に移動する。詳述すると、逆止弁３０のゴム製の弁体３２が圧縮コイルスプリング３３の付勢力に抗して下がることにより、逆止弁３０のゴム製の弁体３２が弁ケース２３の弁座部２３ａから離れて開状態になる。
【００２６】
この弁体３２が弁ケース２３の弁座部２３ａから離れる方向に移動して開状態になる際に、弁体３２の伸縮部３２ａの円筒状の胴体部３２ｃが蓋体２４′の円筒状のガイド部２４ｅにより案内されるため、弁体３２の伸縮部３２ａの円筒状の胴体部３２ｃに圧力（負荷）が掛かって該胴体部３２ｃ及び蛇腹部３２ｂが内側に撓むことがなく、弁体３２を常にスムーズに開動作させることができる。これにより、図２に矢印で示すように、ウォッシャ液Ｗは、各連通口２５ａ，２６ａを経て液体供給流路２５と流出管２６に分岐してそれぞれ流れ、各ウォッシャノズル２０，２０′の各液体噴射口２１ａ，２１ａ′からそれぞれ噴射される。
【００２７】
また、非使用時（逆止弁３０の作動停止時である閉状態時）には、図１に示すように、一方のウォッシャノズル２０の圧縮コイルスプリング３３の付勢力により逆止弁３０の弁体３２で流入管２２と液体供給流路２５との円形状の連通口２５ａ、及び、流入管２２と流出管２６とのＣ字状の連通口２６ａを確実に閉塞させることができる。即ち、逆止弁３０のゴム製の弁体３２が弁ケース２３の弁座部２３ａに当接して閉状態になるため、一方のウォッシャノズル２０の１つの逆止弁３０で２つのウォッシャノズル２０，２０′のウォッシャ液Ｗの逆流を確実に防止することができる。
【図面の簡単な説明】
【００２８】
【図１】本発明の一実施形態のウォッシャ装置に用いられるウォッシャ液分配機能を有したウォッシャノズルの逆止弁の閉状態を示す断面図である。
【図２】上記ウォッシャノズルの逆止弁の開状態を示す断面図である。
【図３】従来のウォッシャ装置を示す構成図である。
【図４】上記従来のウォッシャ装置に用いられるウォッシャ液分配機能を有したウォッシャノズルの逆止弁の閉状態を示す断面図である。
【図５】上記従来のウォッシャノズルの逆止弁の開状態を示す断面図である。
【符号の説明】
【００２９】
１０  ウォッシャ装置
１１  タンク
１３  ポンプ
１４，１５  ホース
２０  一方のウォッシャノズル
２０′  他方のウォッシャノズル
２１  ノズルハウジング
２１ａ  液体噴射口
２２  流入管（流入路）
２３  弁ケース（弁室）
２３ａ  弁座部
２３ｂ  下面開口部
２３ｄ  下端
２４′  蓋体
２４ｅ  円筒状のガイド部
２５  液体供給流路
２５ａ  連通口
２６  流出管（流出路）
２６ａ  連通口
３０  逆止弁
３２  弁体
３２ａ  円筒状の伸縮部
３２ｂ  蛇腹部
３２ｃ  円筒状の胴体部
３３  圧縮コイルスプリング（弾性体）
Ｇ  流入路
Ｒ  弁室
Ｓ  流出路
Ｗ  ウォッシャ液
【図１】
2010000909.tif 000003
【図２】
2010000909.tif 000004
【図３】
2010000909.tif 000005
【図４】
2010000909.tif 000006
【図５】
2010000909.tif 000007